(57)【特許請求の範囲】
【請求項１】
シリンジ（１）のすい口（１ａ）に取付けたハブ（２）にカヌラ（３）を備えた安全注射器において、前記ハブ（２）を偏心した位置に固定した巻き取り軸（５，２５）に、当該巻き取り軸（５，２５）を回転軸として回転する巻き取り筒体（６，２６）を備え、この巻き取り筒体（６，２６）に備えた上部壁（１１，２６ａ）に設けた小孔（１３，２７）を前記カヌラ（３）が貫通しており、前記巻き取り軸（５，２５）に対して前記巻き取り筒体（６，２６）を回転することによって前記カヌラ（３）を、前記巻き取り筒体（６，２６）内において前記巻き取り軸（５，２５）に巻き付け、かつ前記カヌラ（３）の先端を前記巻き取り筒体（６，２６）内に引き込む構成であり、前記巻き取り軸（５，２５）に対する前記巻き取り筒体（６，２６）の逆回転を防止するための逆回転防止手段として、前記巻き取り筒体の下端部に備えた鋸刃状の凹凸部（６ａ）と係合する弾性係合部材（１６）又は前記凹凸部（６ａ）に対応する凹凸部（７ａ）を前記巻き取り軸に備えたフランジ部（７）に備えていることを特徴とする安全注射器。
【請求項２】
請求項１に記載の安全注射器において、不用意な回転による前記カヌラ（３）の変形を防止するために、前記巻き取り筒体の誤動作を防止する誤動作防止手段（２８）を備えていることを特徴とする安全注射器。
【発明の詳細な説明】
【０００１】
【発明の属する技術分野】
本発明は、シリンジ（注射筒）のすい口にハブとカヌラとからなる注射針を取り付けた医療に使用される注射器で、特に使用済みの注射器においてカヌラを安全な状態に処理できる注射器に関するものである。
【０００２】
【従来の技術】
この種の注射器としては、使用済みの注射針を安全な状態に処理する手段として、例えば、特開平１−１３６６６５号公報に開示されたものが従来例として周知である。この従来技術においては、使用済み注射針をシリンジから取り外して所定の捨収納容器に収納させるものである。
【０００３】
この場合に、使用済み注射針をシリンジから手で取り外すのではなく、捨収納容器の覆板を利用して取り外すものであって、その具体的構成は、容器本体の上部開口部を閉じる覆板に、注射針の基端側フランジが入る広幅部と、フランジが係合する狭幅部とを備えた取り外し用の長孔を設けてあり、その長孔の広幅部から注射針の全体を容器本体内に挿入し、シリンジを全体的に狭幅部側に移動させることにより、フランジを覆板の下面側に当設させ、シリンジを上方に強く引き上げることにより注射針を離脱させて捨収納容器内に取捨させるものである。
【０００４】
【発明が解決しようとする課題】
しかしながら、このような処理の仕方であると、捨収納容器を常に携帯して側に置かなければならないため煩わしいこと、注射器の使用後において、医師または看護婦が注射針を捨収納容器の長孔に差し込む際に、誤って捨収納容器を持っている手指に突き刺したりする危険性を含んでおり、更に、差し込んだ注射針及びシリンジを広幅部から狭幅部に移動させる際に、その移動が中途半端な状態であると、力強く引き上げたときに注射針がシリンジから抜けないで、そのままシリンジと一緒に引き抜かれることもあり、その引き抜きの反動で、手指に突き刺さるという危険性も有している。
【０００５】
従って、従来の捨収納容器を使用した注射針の回収処理においては、注射器とは別の捨収納容器を持ち運ぶ煩わしさと、その回収操作の中で依然として現存している危険性の回避に解決しなければならない課題を有している。
【０００６】
【課題を解決するための手段】
本発明は、前述のごとき従来の問題に鑑みてなされたもので、シリンジ（１）のすい口（１ａ）に取付けたハブ（２）にカヌラ（３）を備えた安全注射器において、前記ハブ（２）を偏心した位置に固定した巻き取り軸（５，２５）に、当該巻き取り軸（５，２５）を回転軸として回転する巻き取り筒体（６，２６）を備え、この巻き取り筒体（６，２６）に備えた上部壁（１１，２６ａ）に設けた小孔（１３，２７）を前記カヌラ（３）が貫通しており、前記巻き取り軸（５，２５）に対して前記巻き取り筒体（６，２６）を回転することによって前記カヌラ（３）を、前記巻き取り筒体（６，２６）内において前記巻き取り軸（５，２５）に巻き付け、かつ前記カヌラ（３）の先端を前記巻き取り筒体（６，２６）内に引き込む構成であり、前記巻き取り軸（５，２５）に対する前記巻き取り筒体（６，２６）の逆回転を防止するための逆回転防止手段として、前記巻き取り筒体の下端部に備えた鋸刃状の凹凸部（６ａ）と係合する弾性係合部材（１６）又は前記凹凸部（６ａ）に対応する凹凸部（７ａ）を前記巻き取り軸に備えたフランジ部（７）に備えていることを特徴とするものである。
【００１０】
【発明の実施の形態】
次に、本発明を図示の実施の形態により更に詳しく説明すると、図１〜７に示した第一の実施の形態において、シリンジ（注射筒）１の先端部に設けたすい口１ａにハブ２とカヌラ３とからなる注射針が取り付けられた基本的な構成を有するものである。そして、前記ハブ２にカヌラ３の巻き取り収納手段４を設けたものである。
【００１１】
この巻き取り収納手段４は、ハブ２に対して固定された巻き取り軸５と、該巻き取り軸５を回転軸として回転する巻き取り筒体６とから構成されており、巻き取り軸５は、その下端部側において偏芯させた位置に延設部５ａが形成され、その延設部５ａをハブ２に、例えば接着または接合固定して一体に取り付けるものである。
【００１２】
巻き取り軸５は、図３に示したように、基部側に断面台座形状を呈するフランジ部７が一体に形成されると共に、先端側の中央部に突起軸８が形成され、前記フランジ部７の下部に前記延設部５ａが一体に突出して形成され、該延設部５ａには、前記ハブ２が装着される凹部９とカヌラ３が貫通する小孔１０とが一連に設けられている。
【００１３】
そして、前記巻き取り筒体６は、その一方の端部、即ち、上部となる端部が上部壁１１で塞がれており、その上部壁１１の中心位置に所定大きさの軸孔１２が設けられると共に、その軸孔１２の近傍に前記カヌラ３が貫通する小孔１３が設けられている。
【００１４】
このように形成された巻き取り筒体６は、前記巻き取り軸５に被せるようにして取り付け、突起軸８を軸孔１２に挿通させ、該突起軸８に巻き取り筒体６の外部からビス状の軸止め部材１４を、螺着手段等により取り付けることで、巻き取り軸５に対して巻き取り筒体６が回転できるように取り付けられる。
【００１５】
また、巻き取り筒体６の回転を更に安定したものとするために、ハブ２に固定または連結される延設部５ａに翼状の突出部１５を設け、巻き取り筒体６を回転させる時に、この突出部１５を他方の手で摘むことで、安定した回転動作を助成させるものである。
【００１６】
更に、巻き取り筒体６の回転を一方向に安定させるため、即ち、回転途上で逆回転しないように、逆回転防止手段が適宜位置、例えば、巻き取り筒体６の下部とフランジ部７との間に設けられる。
【００１７】
この逆回転防止手段の一例として、図４に示したように、巻き取り筒体６の下端部を鋸歯状の凹凸部６ａに形成し、該凹凸部６ａと係合する弾性係合部材１６をフランジ部７側に設け、これら凹凸部６ａと弾性係合部材１６との係合によって、巻き取り筒体６が矢印ｘで示した一方向に安定して回転するものである。なお、弾性係合部材１６は、例えば板バネであって適宜のカシメ手段等により複数箇所に設ければ良い。
【００１８】
また、逆回転防止手段の他の例を図５に示してある。この他の例においては、使用される材料（樹脂）の材質（弾性）をある程度利用したものであり、鋸歯状の凹凸部６ａに対応する鋸歯状の凹凸部７ａをフランジ部７側に設け、これら凹凸部６ａ、７ａが僅かな間隙をもって係合するようにし、巻き取り筒体６を矢印ｘで示した方向に回転させた時に、両凹凸部の山が材料の持つ弾性によって少しづつ変形して、相互に山を乗り越えて一方向にのみ回転するものである。
【００１９】
このように構成された巻き取り収納手段４を備えた安全注射器において、使用済み後のカヌラ３の巻き取り操作について、図６〜８に基づいて説明する。例えば、シリンジ１または延設部５ａの突出部１５を左手で摘み、右手で巻き取り筒体６を摘んで矢印ｘ方向に回転させるようにすることで、巻き取り筒体６が巻き取り軸５を中心にして右回転する。
【００２０】
この場合に、カヌラ３は基部側がハブ２に固定されているので、巻き取り筒体６の右回転によって、カヌラ３が巻き取り軸５に巻き付く状態になることから、カヌラ３が必然的に小孔１３から順次巻き取り筒体６の内部に引き込まれるようになる。そして、巻き取り筒体６を二回転または三回転させることで、図８に示したように、カヌラ３は巻き取り軸５に二回巻きまたは三回巻きされ、その先端が完全に巻き取り筒体６の内部に引き込まれてしまい、一旦内部に引き込まれてしまうと、巻き取り収納手段４を破壊しない限り、どのように操作しても、カヌラ３の先端は二度と外部に突出することはなく安全である。
【００２１】
ところで、巻き取り筒体６の回転操作において、右手で摘んで複数回の回転動作を行うものであるが、特に、カヌラ３自体が剛性の高いもの（針の太いもの）を使用している場合には、その剛性によって回転に対する反作用、即ち巻き取り筒体６に対して逆回転の作用を付与するようになり、各回転毎に巻き取り筒体６から手を離すと、本来ならば逆回転してカヌラ３が再度突出するようになって危険が伴うところである。
【００２２】
しかしながら、本発明においては逆回転防止手段が設けられていることから、回転操作の途中で巻き取り筒体６から手を離しても、カヌラ３の剛性による逆回転作用によって逆回転する虞は全くなく、順調に且つ危険を伴わないでカヌラ３を順次巻き取ることが出来るのである。
【００２３】
図９に本発明の第二の実施の形態を示してある。この実施の形態においては、カヌラ３自体の剛性が低いもの（針の細いもの等）の場合に有効なものである。即ち、巻き取り収納手段２４は、ハブ２に対して固定される巻き取り軸２５と、該巻き取り軸２５を回転軸として回転する巻き取り筒体２６とから構成されており、巻き取り軸２５における下端部の延設部２５ａを、例えば接着剤等によってハブ２に固定して一体に取り付けるものである。
【００２４】
この場合の巻き取り軸２５は、図示したように、細径にした上端部２５ｂが巻き取り筒体２６の頂部壁２６ａを貫通して突出し、その突出した上端部２５ｂをカシメることにより、巻き取り筒体２６を回転可能に支持する構成である。このカシメ手段としては、例えば、加熱手段、超音波手段または高周波手段等が用いられる。
【００２５】
巻き取り筒体２６は、その頂部壁２６ａにカヌラ３が貫通する小孔２７が設けられており、下方部分は全面的に開放した状態にある。その解放によって、巻き取り筒体２６は巻き取り軸２５に対して多少のガタツキが生ずるが、使用後における巻き取り操作にはそれ程大きく影響するものではない。
【００２６】
使用前および巻き取り操作直前まで、前記ガタツキを防止するため、および不用意な回転によるカヌラ３の変形を防止するために、誤動作防止手段２８が設けられている。
【００２７】
この誤動作防止手段２８は、例えば、ストッパー用のピン２９であり、該ストッパー用のピン２９は、巻き取り筒体２６を貫通し、その先端が巻き取り軸２５に設けた小穴３０に摩擦係合状態に嵌合してガタツキと不用意な回転とを防止しているのである。
【００２８】
ストッパー用のピン２９は、注射器の使用後において、巻き取り筒体２６を回転させる直前まで取り付けた状態にしておくので、注射器の使用時においてはガタツキまたは回転が全く生じない安定した状態にあって、操作または治療ミス等が生じないのである。
【００２９】
そして、カヌラ３を巻き取る直前にストッパー用のピン２９のヘッド２９ａを摘んで引き抜き、巻き取り軸２５と巻き取り筒体２６とをフリーの状態にし、巻き取り筒体２６を任意の方向に回転させて、前記第一の実施の形態と同様にカヌラ３を巻き取り軸２５に巻き付けて巻き取り筒体２６内に取り込み、その後においては、カヌラ３の先端が突出することはないのである。
【００３０】
更に、第三の実施の形態を図１０〜１１に示してある。この第三の実施の形態においては、前記第二の実施の形態のものに、逆回転防止手段を付与したものであって、他の構成部分は実質的に同一であるので同一符号を付してその詳細な説明は省略する。
【００３１】
即ち、巻き取り軸２５と巻き取り筒体２６との間で、一方向にのみ回転するように、巻き取り軸２５の下部にフランジ部３１を一体的に形成し、該フランジ部３１と接触するように巻き取り筒体２６の下部を配設したものである。そして、フランジ部３１と巻き取り筒体２６の下部との接触部分に相互に係合する鋸歯状の凹凸部２６ｂ、３１ａを設けたものであって、巻き取り筒体２６が矢印ｘで示したように、一方向にのみ回転するものである。
【００３２】
そして、この第三の実施の形態における操作は、前記第二の実施の形態と略同じであり、特に、逆回転防止手段を設けることにより巻き取り筒体２６の動きがある程度規制されることになり、更に誤動作防止手段２８を設けることで、より一層安全性が向上するのである。
【００３３】
使用されるカヌラ３としては、通常使用されている種々の針を使用できるが、巻き取りを容易にするために、肉薄針または軟質管針を使用したり、一部または全部が樹脂で形成された針を使用することも可能である。
【００３４】
いずれにしても、本発明に係る安全注射器は、注射器自体の先端部にカヌラの巻き取り収納手段を設けたものであって、注射器の使用後にその巻き取り収納手段を直ちに操作することで、カヌラを巻き取って安全な状態に収納することができるのようにしたものである。従って、余分な別体の捨収納容器を持ち歩く必要もないし、また、カヌラの巻き取り操作も危険性が全くなく簡単に行えるようにしたものである。
【００３５】
【発明の効果】
以上説明したように本発明に係る安全注射器は、シリンジのハブに注射針を取り付けた注射器であって、該ハブに巻き取り軸と巻き取り筒体とからなるカヌラの巻き取り収納手段を設けた構成としたことにより、注射器の使用後に直ちに巻き取り筒体を回転させて、カヌラを巻き取り軸に巻き取って巻き取り筒体内に収納させることができ、カヌラを収納するための他の捨収納容器等を必要とせずに速やかに且つ危険を伴うことなくカヌラを極めて安全な状態に位置付けすることができるという優れた効果を奏する。
【００３６】
また、カヌラの弾性による回転を防止する逆回転防止手段を設けたこと、および巻き取り軸と巻き取り筒体との間には、巻き取り操作直前まで誤動作しない誤動作防止手段が設けられていることによって、注射器の取り扱い時の不安がなくしかもカヌラの巻き取り操作が簡便で全く危険を伴わないという優れた効果を奏する。
【００３７】
更に、シリンジのハブにカヌラの巻き取り収納手段を設けたことによって、注射器の使用後に直ちに巻き取り収納手段を操作することで、カヌラが注射器の先端において簡単に巻き取り収納することができ、他の捨収納容器を一緒に持ち運ぶことなく、カヌラは各注射器毎に安全な状態に収納されて注射器と一緒に廃棄されるのであり、その廃棄においても安全性が高いものとなる等の優れた効果を奏する。
【図面の簡単な説明】
【図１】本発明の第一の実施の形態に係る安全注射器の要部を略示的に示した斜視図である。
【図２】図１のＡ−Ａ線に沿う拡大断面図である。
【図３】同安全注射器の要部を略示的に示した拡大断面図である。
【図４】同安全注射器における逆回転防止手段の一例を示した要部のみの一部拡大側面図である。
【図５】同安全注射器における逆回転防止手段の他の例を示した要部のみの一部拡大側面図である。
【図６】同安全注射器において、巻き取り筒体を一回転させた状況を示す図３と同様の拡大断面図である。
【図７】同安全注射器において、巻き取り筒体を二回転させた状況を示す図３と同様の拡大断面図である。
【図８】同安全注射器において、巻き取り筒体を三回転させた状況を示す図３と同様の拡大断面図である。
【図９】本発明の第二の実施の形態に係る安全注射器の要部を略示的に示した断面図である。
【図１０】本発明の第三の実施の形態に係る安全注射器の要部を略示的に示した斜視図である。
【図１１】同実施の形態に係る安全注射器の略示的断面図である。
【符号の説明】
１  シリンジ
１ａ  すい口
２  ハブ
３  カヌラ（針）
４、２４  巻き取り収納手段
５、２５  巻き取り軸
５ａ、２５ａ  延設部
６、２６  巻き取り筒体
７、３１  フランジ部
６ａ、７ａ、２６ｂ、３１ａ  鋸歯状の凹凸部
８  突起軸
９  凹部
１０、１３、２７  小孔
１１  上部壁
１２  軸孔
１４  軸止め部材
１５  翼状の突出部
２５ｂ  上端部
２６ａ  頂部壁
２８  誤動作防止手段
２９  ストッパー用のピン
２９ａ  ヘッド
３０  小穴
【図１】
0003983884.tif 000002
【図２】
0003983884.tif 000003
【図３】
0003983884.tif 000004
【図４】
0003983884.tif 000005
【図５】
0003983884.tif 000006
【図６】
0003983884.tif 000007
【図７】
0003983884.tif 000008
【図８】
0003983884.tif 000009
【図９】
0003983884.tif 000010
【図１０】
0003983884.tif 000011
【図１１】
0003983884.tif 000012